(57)【特許請求の範囲】
【請求項１】
建物の外壁に設けた開口部に開閉自在に設置された開閉部材の屋外側に取り付けられ、開口部周辺における人の存在を検知するセンサ部を、ボディ部及びカバー部を有する筐体に収納して形成されるセンサユニットと、前記センサ部が人を検知すると警報音を発生する警報発生部を収納し前記開閉部材の屋内側に取り付けられる防犯装置本体と、前記開閉部材と前記開口部との隙間に配置され前記センサユニットと前記防犯装置本体との間を連結する連結部とを備えた防犯装置であって、前記ボディ部内部を上下に区分する第１の隔壁を当該ボディ部内に設けるとともに、前記カバー部内部を上下に区分し、当該カバー部と前記ボディ部とが嵌合されると、前記第１の隔壁の上側になるように当該第１の隔壁と重なり当接する第２の隔壁を当該カバー部内に設け、前記第１の隔壁及び第２の隔壁の下方側に前記センサ部を収納する収納部を形成し、前記センサ部からのセンサハーネスを前記ボディ部側で前記第１の隔壁の上方側に通し、前記第２の隔壁の下方に前記センサ部を保持する保持部を設けて当該センサ部を前記収納部の前記カバー部側に寄せて収納したことを特徴とする防犯装置。
【請求項２】
前記収納部の底面部上面を、所定の方向に傾斜する傾斜面とし、該傾斜面の下方端に水抜き孔を設けたことを特徴とする請求項１記載の防犯装置。
【発明の詳細な説明】
【０００１】
【発明の属する技術分野】
本発明は、防犯装置に関するものである。
【０００２】
【従来の技術】
従来この種の防犯装置として、図５に示すように、人体から放射される熱線を検知することにより人の存否を検知する熱線センサ１００と、スピーカＳＰと、警戒状態と非警戒状態とを切り替える切替スイッチＳＷと、切替スイッチＳＷにより警戒状態に設定されている場合に熱線センサ１００が検知領域内で人を検知するとスピーカＳＰから警報音を発生させる制御部（図示せず）とを収納した筐体２００を、家の周囲に設置して不審者を検知する防犯装置が提供されている。
【０００３】
【発明が解決しようとする課題】
ここで、上記防犯装置を設置する場合には、軒の下面側のようにできるだけ雨のかからない場所を選んで設置するのであるが、それでも完全に雨を避けることは不可能であり、そのため、筐体２００の隙間から水が内部に侵入し、センサ基板が濡れてしまい、回路のショートや誤作動の原因となる問題があった。
【０００４】
本発明は上記問題点に鑑みて為されたものであって、その目的とするところは、万が一水が侵入してもセンサ部のショートや誤動作を低減できる防犯装置を提供することにある。
【０００５】
【課題を解決するための手段】
上記目的を達成するために、請求項１の発明は、建物の外壁に設けた開口部に開閉自在に設置された開閉部材の屋外側に取り付けられ、開口部周辺における人の存在を検知するセンサ部を、ボディ部及びカバー部を有する筐体に収納して形成されるセンサユニットと、前記センサ部が人を検知すると警報音を発生する警報発生部を収納し前記開閉部材の屋内側に取り付けられる警戒装置本体と、前記開閉部材と前記開口部との隙間に配置され前記センサユニットと前記警戒装置本体との間を連結する連結部とを備えた防犯装置であって、前記ボディ部内部を上下に区分する第１の隔壁を当該ボディ部内に設けるとともに、前記カバー部内部を上下に区分し、当該カバー部と前記ボディ部とが嵌合されると、前記第１の隔壁の上側になるように当該第１の隔壁と重なり当接する第２の隔壁を当該カバー部内に設け、前記第１の隔壁及び第２の隔壁の下方側に前記センサ部を収納する収納部を形成し、前記センサ部からのセンサハーネスを前記ボディ部側で前記第１の隔壁の上方側に通し、前記第２の隔壁の下方に前記センサ部を保持する保持部を設けて当該センサ部を前記収納部の前記カバー部側に寄せて収納したものとした。
【０００６】
請求項２の発明は、請求項１記載の発明において、前記収納部の底面部上面を、所定の方向に傾斜する傾斜面とし、該傾斜面の下方端に水抜き孔を設けたものとした。
【０００８】
【発明の実施の形態】
以下、本発明を一実施形態によって説明する。
【０００９】
図２は、本実施形態の防犯装置を玄関扉に取り付けた状態を示す図である。本防犯装置は、玄関扉Ｇの屋外側Ｘに取り付けられ、玄関扉Gの屋外側Ｘ周辺における人の存否を検知するセンサ部Ｂを筐体Ａに収納して形成されるセンサユニット１と、前記センサ部Ｂが人を検知すると警報音を発生する警報発生部を収納し、玄関扉Ｇの屋内側Ｙに取り付けられる防犯装置本体２と、玄関扉Ｇと玄関枠（図示せず）との隙間に配置され、センサユニット１と防犯装置本体２との間を連結する、例えば金属部材から形成された連結部３とからなる。
【００１０】
以下、各部を詳説する。防犯装置本体２は、図１（ａ）〜（ｄ）に示すように、合成樹脂製の正面カバー部２Ａと、裏カバー部２Ｂと、スピーカ２ｆ及び制御部（図示せず）を備えた警報発生部Kとからなり、正面カバー部２Ａの内部に警報発生部Kを設置した後、裏カバー部２Ｂを、ねじ２ｇで正面カバー部２Ａに固定して組み立てられる。正面カバー部２Ａの正面から底面にかけて傾斜面２０が形成されており、傾斜面２０に警報発生部Kが発する警報音の音色を、"犬の鳴き声"・"アラーム音"・"ピンポン音"の何れかに切りかえる音色スイッチ２ａと、警報発生部Kが発する警報音の音量を、"切"・"小"・"大"の何れかに切りかえる音量スイッチ２ｂとが設けられている。また、正面カバー部２Ａの正面上部には、警報発生部Kに電源を供給する電池（図示せず）を収納するための電池収納部Dが設けられており、電池蓋２ｃによって覆われている。また、正面中央部には、複数のスピーカ孔２ｄが開けられている。
【００１１】
ここで、音量スイッチ２ｂが"切"以外の警戒状態の時に、センサユニット１内のセンサ部Ｂが玄関扉Ｇの屋外側にいる不審者を検知すると、音色スイッチ２ａで選択された音色の警報音が、防犯装置本体２内の警報発生部より発せられ、不審者を威嚇し、また家人や周りの人に不審者の存在を知らせ、空き巣などを未然に防ぐことができる。
【００１２】
連結部３は、中央片３ａと、中央片３ａから略垂直に折曲した側片３ｃとでＬ字状に形成されており、中央片３ａを玄関扉Ｇの上端部に載置し、側片３ｃを玄関扉Ｇの屋内側Ｙに当接するようにして玄関扉Ｇに取り付けられる。そして中央片３ａの先端部３ｂに、センサユニット１をボルト４で取り付け、側片３ｃの先端部に防犯装置本体２をねじ２ｈで取り付けることで、センサユニット１を屋外側Ｘに、防犯装置本体２を屋内側Ｙに配している。
【００１３】
センサユニット１は、図３（ａ）、（ｂ）及び図４に詳しく示すように、ボディ部１０とカバー部１１とセンサカバー部１２とからなる筐体Ａと、筐体Ａ内部に収納されたセンサ部Ｂとからなる。
【００１４】
ボディ部１０は、箱型に形成され、筐体Ａの左側面１０ｂと、右側面１０ｃと、上面１０dと、後面１０ｅと、底面１０ｆとをなす。底面１０ｆは、後述する円盤状のセンサカバー部１２が嵌めこまれるように、半円状に切り抜かれており、円周１０Ｒに沿ってセンサカバー部１２を上方向に位置規制するための複数の突片１０ｇが設けられている。また、底面１０ｆと後面１０ｅとが接する辺上に、複数の水抜き孔１０ｑが開けられている。上面１０ｄには、ボディ部１０と連結部３とをボルト４によって連結するためのボルト孔１０ｊが開けられており、また、後述するカバー部１１に設けられた突片１１ｇが嵌めこまれる、凹部１０ｌが設けられている。
【００１５】
ボディ部１０の内部には、内部を上下に区分する隔壁１０ａが、略中央に設けられている。この隔壁１０ａには、ボディ部１０の後面１０ｅと接する辺上の中心に、後述するセンサ部Ｂのセンサハーネス１３ｃを通すための切り欠き１０ｍが設けられている。また、隔壁１０ａの下方には、センサ部Ｂの一端を保持するための、保持部１０ｐが左右に１つずつ設けてある。また、ボディ部１０の内部の４隅には、ボディ部１０とカバー部１１とをねじ固定するためのボス部１０ｈが形成されている。
【００１６】
カバー部１１は、外形形状が底面のない半円柱状に形成され、ボディ部１０と嵌合されて筐体Ａの前面を形成する。カバー部１１の上部には、ボディ部１０の上面に設けられた凹部１０ｌに嵌め合わせる突片１１ｇが設けられている。
【００１７】
カバー部１１の内部には、内部を上下に区分する隔壁１１ａが、略中央に設けられている。この隔壁１１ａは、カバー部１１とボディ部１０とが嵌合されると、ボディ部１０の隔壁１０ａと上下方向にわずかにずれて重なり当接し、筐体Ａを上下に区分する隔壁を形成する。そして、該隔壁の下方側に、該隔壁とボディ部１０とカバー部１１と後述するセンサカバー部１２とからなる収納部Ｓが形成される。また、隔壁１１ａの下方には、センサ部Ｂの一端を保持するための、保持部１１ｄが左右に１つずつ設けてある。また、カバー部１１の内部の４隅には、ボディ部１０とカバー部１１とを嵌合した際に、ボディ部１０のボス部１０ｈを受けるボス受部１１ｂが形成されている。ボス受け部１１ｂの内部には、ねじ溝１１ｃが形成されており、ボディ部１０の後面１０ｅの４隅に設けられたねじ孔１０ｎから、ボディ部１０とカバー部１１とが、ねじ１０ｉで固定される。
【００１８】
カバー部１１の下方端は、後述するセンサカバー部１２を掛止させるために、縁部が内部に向かって突出した内周壁１１ｅを形成しており、内周壁１１ｅの上部には、円周に沿ってセンサカバーを上方向に位置規制するための複数の突片１１ｆが設けられている。
【００１９】
センサカバー部１２は、円盤状の底面１２ａと、鍔部１２ｃを有する底面１２ａの周壁１２ｂとからなり、後述する水抜き用の切り欠き１２ｄをボディ部１０の後面１０ｅに向け、鍔部１２ｃをボディ部１０の底面１０ｆと突片１０ｇの間及びカバー部１１の内周壁１１ｅと突片１１ｆとの間に嵌めこんだ状態で、ボディ部１０とカバー部１１とに挟まれて固定され、筐体Ａの底面を形成する。底面１２ａの上面は、ボディ部１０の後面１０ｅの方向に傾斜する傾斜面となっており、また、該傾斜面の下方端の周壁１２ｂに、切り欠き１２ｄを設けている。これにより、万が一センサカバー部１２の底面１２ａに水が溜まっても、傾斜面により切り欠き１２ｄの方向へと水が流れ、切り欠き１２ｄを通ってボディ部１０に設けられた水抜き孔１０ｑから、筐体Ａ外に排出される。
【００２０】
センサ部Ｂは、センサ基板１３ａと、センサ基板１３ａに取りつけられ、人体から放射される熱線を検知することにより人の存否を検知する、例えば焦電素子のようなセンサ素子１３ｂと、センサハーネス１３ｃとからなり、センサ素子１３ｂをセンサカバー部１２の方向に向け、センサ基板１３ａが、ボディ部１０の保持部１０ｐとカバー部１１の保持部１１ｄとで保持された状態で、収納部Ｓに収納されている。センサハーネス１３ｃは、収納部Ｓに収納されたセンサ基板１３ａからボディ部１０の隔壁１０ａに設けられた切り欠き１０ｍを通って、隔壁の上方側に入り、隔壁の上方側でたるみを持たせて折り返され、筐体Ａの後面上部に開けられた孔１０ｋから筐体Ａの外に出される。その後、連結部３の背面に密着させて電線保護テープ３ｄ及び３ｅで固定され、防犯装置本体２の裏カバー部２Ｂに設けられた孔（図示せず）から防犯装置本体２の内部へ通され、警報発生部Ｋへと続いている。
【００２１】
上記のように構成される防犯装置においては、センサ部Ｂは、センサユニットの筐体Ａの内部で、ボディ部１０とカバー部１１とセンサカバー部１２とボディ部１０の隔壁１０ａとカバー部１１の隔壁１１ａとからなる収納部Ｓに収納されているため、筐体Ａの上部の、例えばボディ部１０とカバー部１１との嵌合面や、連結部３へハーネスを通すための孔１０ｋから筐体Ａ内部に水が侵入してきても、直接センサ部Ｂへ水が垂れ落ちることがなくなり、センサ部Ｂのショートや誤動作を低減することができる。
【００２２】
また、万が一、隔壁１０ａに設けられたセンサハーネス１３ｃを通すための切り欠き１０ｍから収納部Ｓに水が侵入してきたり、結露などで収納部Ｓに水が生じたとしても、センサカバー部１２の底面１２ａの傾斜面を伝って切り欠き１２ｄの方向へと水が流れ、切り欠き１２ｄを通ってボディ部１０に設けられた水抜き孔１０ｑから、筐体Ａ外へと排出され、収納部Ｓに水がたまることがなくなり、より一層センサ部のショートや誤動作を低減できる。
【００２３】
また、防犯装置がセンサユニット１と防犯装置本体２と連結部３とで構成されているため、玄関扉Ｇなどの開閉部材への取り付けが容易であり、また屋外に設置されるのはセンサユニット１のみなので、屋内に設置された防犯装置本体２は雨によるショートや誤動作の心配をしなくてもよい。
【００２４】
尚、本実施形態では、筐体Ａの内部を上下に区分する隔壁１０ａ，１１ａを設けて、さらに、筐体Ａの底面を形成するセンサカバー部１２の底面１２ａの上面を傾斜面としボディ部１０に水抜き孔１０ｑを設けた実施形態を示したが、何れか一方のみを設けた実施形態でもよい。則ち、例えば、隔壁１０ａ及び１１ａを設けずに、筐体Ａの底面を形成するセンサカバー部１２の底面１２ａの上面をボディ部１０の後面１０ｅの方向に傾斜する傾斜面とし、ボディ部１０の後面１０ｅと底面１０ｆとが接する辺上に水抜き孔１０ｑを設けただけでもよい。これにより、筐体Ａの隙間や孔から侵入した水や結露などでセンサ部Ｂを収納している筐体Ａ内に水がたまっても、センサカバー部１２の底面１２ａの傾斜面を伝って切り欠き１２ｄの方向へと水が流れ、切り欠き１２ｄを通ってボディ部１０に設けられた水抜き孔１０ｑから、筐体Ａ外へと排出され、筐体Ａ内部に水がたまることがなくなり、センサ部Ｂのショートや誤動作を低減できる。
【００２５】
或いは、筐体Ａの底面を形成するセンサカバー部１２の底面１２ａの上面を傾斜面とせず、且つボディ部１０の後面１０ｅと底面１０ｆとが接する辺上に水抜き孔１０ｑを設けずに、筐体Ａ内部に隔壁１０ａ，１１ａだけを設けてもよい。この場合、隔壁１０ａに設けられたセンサハーネス１３ｃを通すための切り欠き１０ｍから収納部Ｓへ水が侵入することを防ぐため、切り欠き１０ｍをパッキンなどで防水する。また、隔壁上にたまった水を排出する水抜き孔を筐体Ａの側面に設けておく。これにより、筐体Ａの上部の、例えばボディ部１０とカバー部１１との嵌合面や、連結部３へハーネスを通すための孔１０ｋから水が侵入してきても、隔壁１０ａ，１１ａによって水が遮断され、センサ部Ｂが収納された収納部Ｓまで水が達することがなくなり、センサ部Ｂのショートや誤動作を低減できる。
【００２６】
【発明の効果】
請求項１の発明は、建物の外壁に設けた開口部に開閉自在に設置された開閉部材の屋外側に取り付けられ、開口部周辺における人の存在を検知するセンサ部を、ボディ部及びカバー部を有する筐体に収納して形成されるセンサユニットと、前記センサ部が人を検知すると警報音を発生する警報発生部を収納し前記開閉部材の屋内側に取り付けられる防犯装置本体と、前記開閉部材と前記開口部との隙間に配置され前記センサユニットと前記防犯装置本体との間を連結する連結部とを備えた防犯装置であって、前記ボディ部内部を上下に区分する第１の隔壁を当該ボディ部内に設けるとともに、前記カバー部内部を上下に区分し、当該カバー部と前記ボディ部とが嵌合されると、前記第１の隔壁の上側になるように当該第１の隔壁と重なり当接する第２の隔壁を当該カバー部内に設け、前記第１の隔壁及び第２の隔壁の下方側に前記センサ部を収納する収納部を形成し、前記センサ部からのセンサハーネスを前記ボディ部側で前記第１の隔壁の上方側に通し、前記第２の隔壁の下方に前記センサ部を保持する保持部を設けて当該センサ部を前記収納部の前記カバー部側に寄せて収納したので、筐体の上部から筐体内部に水が侵入してきても、第１の隔壁及び第２の隔壁によって水が遮断され、前記収納部に収納されたセンサ部へ直接水が垂れ落ちることがなくなり、センサ部のショートや誤動作を低減することができるという効果がある。
【００２８】
請求項２の発明は、請求項１記載の発明において、前記収納部の底面部上面を、所定の方向に傾斜する傾斜面とし、該傾斜面の下方端に水抜き孔を設けたので、請求項１記載の発明の効果に加えて、万が一前記センサ部を収納している前記収納部に水が侵入してきても、前記水抜き孔から水が排出され、前記収納部に水がたまることがなくなり、より一層センサ部のショートや誤動作を低減できるという効果がある。
【図面の簡単な説明】
【図１】（ａ）本実施形態の防犯装置の側面断面図である。
（ｂ）同上のセンサユニットの裏面図である。
（ｃ）同上の防犯装置本体の正面図である。
（ｄ）同上の防犯装置本体の裏面図である。
【図２】同上を玄関扉に取り付けた状態を示す斜視図である。
【図３】（ａ）同上のセンサユニットを上方から見た分解斜視図である。
（ｂ）同上のセンサユニットを下方から見た分解斜視図である。
【図４】同上のセンサユニットを左側方から見た分解斜視図である。
【図５】従来の防犯装置の外観図である。
【符号の説明】
１  センサユニット
２  防犯装置本体
３  連結部
４  ボルト
１０  ボディ部
１０ａ  隔壁
１０ｑ  水抜き孔
１１  カバー部
１１ａ  隔壁
１２  センサカバー部
Ａ  筐体
Ｂ  センサ部
Ｓ  収納部
【図１】
0003899982.tif 000002
【図２】
0003899982.tif 000003
【図３】
0003899982.tif 000004
【図４】
0003899982.tif 000005
【図５】
0003899982.tif 000006